(57)【要約】【課題】  携帯電話機の機種に合わせてテレビジョン放送波の字幕情報を送信する。【解決手段】  通信用サーバ装置４が、字幕モードサービスが指定された携帯電話機３の表示画面サイズの情報をインターネット通信回線５を介して字幕サーバ装置７に送信し、字幕サーバ装置７が、携帯電話機３の表示画面サイズに対応する字幕情報を選択し、選択した字幕情報をインターネット通信回線５を介して通信用サーバ装置４に送信する。そして、通信用サーバ装置４が、放送設備６が放映するテレビジョン放送波と同期させて、電気通信回線を介して携帯電話機３に字幕情報を送信する。【選択図】  図１
2005051509.tif 000002
【特許請求の範囲】
【請求項１】
テレビジョン放送波の受信機能を備えた携帯通信端末のためのテレビジョン放送システムであって、
上記テレビジョン放送波を放映する放送用サーバ装置と、
電気通信回線を介して、上記テレビジョン放送波の関連情報をテレビジョン放送波と同期させて上記携帯通信端末に送信する通信用サーバ装置と
を備えることを特徴とするテレビジョン放送システム。
【請求項２】
請求項１に記載のテレビジョン放送システムであって、
上記通信用サーバ装置は、上記携帯通信端末の表示性能に合わせて関連情報を送信すること
を特徴とするテレビジョン放送システム。
【請求項３】
請求項２に記載のテレビジョン放送システムであって、
上記通信用サーバ装置は、上記携帯通信端末の表示性能を判別し、判別した表示性能の情報を放送用サーバ装置に送信し、
上記放送用サーバ装置は、上記通信用サーバ装置から受信した情報を参照して、上記携帯通信端末の表示性能に対応する関連情報を生成し、生成した関連情報を上記通信用サーバ装置に送信すること
を特徴とするテレビジョン放送システム。
【発明の詳細な説明】
【技術分野】
【０００１】
本発明は、テレビジョン放送波の受信機能を備えた携帯通信端末のためのテレビジョン放送システムに関し、より詳しくは、字幕情報等のテレビジョン放送波の関連情報を携帯通信端末の機種に合わせて送信することを可能にする技術に関わる。
【背景技術】
【０００２】
従来より、テレビジョン放送波とその字幕情報とを合わせて受信し、受信したテレビジョン放送波及び字幕情報を表示画面に表示する字幕放送受信装置が知られている（例えば、特許文献１を参照）。
【０００３】
【特許文献１】特開２００２−１２５２０２号公報
【発明の開示】
【発明が解決しようとする課題】
【０００４】
ところで、従来までのテレビジョン放送システムでは、字幕情報はテレビジョン放送波の一部として放映される。このため、従来までのテレビジョン放送システムによれば、字幕放送受信装置の表示画面サイズによって字幕情報が見づらく、視認性が落ちることがある。特に、表示画面が比較的小さい、携帯電話機やＰＤＡ（Personal Digital Assistant）等の携帯通信端末を利用してテレビジョン放送を受信する場合には、このような問題が生じる可能性が非常に大きい。
【０００５】
本発明は、上記課題を解決するためになされたものであり、その目的は、字幕情報等のテレビジョン放送の関連情報を携帯通信端末の機種に合わせて送信することが可能な、テレビジョン放送システムを提供することにある。
【課題を解決するための手段】
【０００６】
本発明に係るテレビジョン放送システムの特徴は、携帯通信端末にテレビジョン放送波を送信する放送用サーバ装置と、電気通信回線を介してテレビジョン放送波の関連情報をテレビジョン放送波と同期させて携帯通信端末に送信する通信用サーバ装置とを備えることにある。
【発明の効果】
【０００７】
本発明に係るテレビジョン放送システムによれば、放送用サーバ装置が、携帯通信端末にテレビジョン放送波を送信し、通信用サーバ装置が、テレビジョン放送波の関連情報をテレビジョン放送波と同期させて携帯通信端末に送信するので、携帯通信端末の機種に合わせてテレビジョン放送波の関連情報を送信することができる。
【発明を実施するための最良の形態】
【０００８】
以下、図面を参照して、本発明の一実施形態となるテレビジョン放送システムの構成及び動作について詳しく説明する。
【０００９】
〔テレビジョン放送システムの構成〕
始めに、図１を参照して、本発明の一実施形態となるテレビジョン放送システムの構成について説明する。
【００１０】
本発明の一実施形態となるテレビジョン放送システム１は、図１に示すように、テレビジョン放送事業者側に設けられた放送用サーバ装置２と、テレビジョン放送の受信機能を有する携帯電話機３と、携帯事業者側に設けられた通信用サーバ装置４とを備え、放送用サーバ装置２と通信用サーバ装置４は、インターネット通信回線５を介して情報通信可能なように構成されている。
【００１１】
上記放送用サーバ装置２は、テレビジョン放送を放映するための放送設備６と、字幕サーバ装置７を主な構成要素として備える。字幕サーバ装置７は、パーソナルコンピュータやワークステーション等のコンピュータシステムにより構成され、テレビジョン放送の字幕情報を携帯電話機３の表示画面サイズに合わせて複数の形式で記憶する。
【００１２】
より具体的には、この実施形態では、字幕サーバ装置７は、表示画面が大きい携帯電話機３用の表示文字数が多い字幕情報（詳細字幕情報）と、表示画面が小さい携帯電話機３用の表示文字数が少ない字幕情報（概略字幕情報）を記憶する。なお、字幕サーバ装置７が記憶する字幕情報は、テレビジョン放送の放映予定に従って予め作製しておいてもよいし、音声認識技術を利用して放送設備６から放映されたテレビジョン放送からリアルタイムに作製してもよい。
【００１３】
ここで、携帯電話機３の機種によっては、文字に色を付与したり、強調文字を使う等、字幕情報を構成する文字の表示形態を制御することができるので、字幕サーバ装置７は、携帯電話機３の表示性能に合わせて、文字の表示形態を指定する情報を字幕情報に付与してもよい。このような構成によれば、字幕サーバ装置７は、携帯電話機３の表示性能に合わせて字幕情報を表示させることができる。
【００１４】
また、携帯電話機３の機種によっては、字幕情報の表示位置や向き等、字幕情報の表示方法を指定することができるので、字幕サーバ装置７は、携帯電話機３の機種に合わせて、字幕情報の表示方法を指定する情報を字幕情報に付与してもよい。このような構成によれば、字幕サーバ装置７は、字幕情報の表示位置をテレビジョン放送に合わせて変更することができる。
【００１５】
このような構成を有するテレビジョン放送システム１は、以下に説明するように動作することにより、携帯電話機３の表示画面サイズに合わせて、テレビジョン放送の字幕情報を携帯電話機３に送信する。以下、図２に示すフローチャートを参照して、字幕放送処理を実行する際の上記テレビジョン放送システム１の動作について説明する。
【００１６】
〔テレビジョン放送システムの動作〕
図２に示すフローチャートは、携帯電話機３のユーザが、携帯電話機３をテレビジョン放送の受信モードに設定して所望のテレビジョンチャンネルを選択すると共に、字幕情報を表示させる字幕モードサービスを指定し、通信用サーバ装置４が、携帯電話機３の字幕モードサービスを認証することで開始となり、字幕放送処理はステップＳ１の処理に進む。
【００１７】
なお、通信用サーバ装置４は、字幕放送処理の開始前に、携帯電話機３の電源がオンになるのに応じて、携帯電話機３の認証を行い、携帯電話機３の機種（表示画面サイズ等の情報）を判別する。また、携帯電話機３は、字幕モードサービスが指定されるのに応じて、選択されたテレビジョンチャンネルの情報を通信用サーバ装置４に送信する。
【００１８】
ステップＳ１の処理では、通信用サーバ装置４が、字幕モードサービスが指定された携帯電話機３の表示画面サイズの情報をインターネット通信回線５を介して字幕サーバ装置７に送信し、携帯電話機３の表示画面サイズに対応する字幕情報の送信を要求する。これにより、このステップＳ１の処理は完了し、この字幕放送処理はステップＳ１の処理からステップＳ２の処理に進む。
【００１９】
ステップＳ２の処理では、字幕サーバ装置７が、通信用サーバ装置４から送信された情報を参照して、携帯電話機３の表示画面サイズに対応する字幕情報を選択し、選択した字幕情報をインターネット通信回線５を介して通信用サーバ装置４に送信する。これにより、このステップＳ２の処理は完了し、この字幕放送処理はステップＳ２の処理からステップＳ３の処理に進む。
【００２０】
ステップＳ３の処理では、通信用サーバ装置４が、電気通信回線を介して携帯電話機３に字幕情報を送信する。なお、この実施形態において、字幕情報には、図３に示すように、テレビジョン放送波の放映スケジュールと対応付けされた、字幕情報の送信タイミングを表すタイムスタンプが付与されており、通信用サーバ装置４は、タイムスタンプに従って字幕情報を携帯電話機３に送信する。このような構成によれば、通信用サーバ装置４は、放送設備６が放映するテレビジョン放送と同期させて字幕情報を携帯電話機３に送信することができる。これにより、このステップＳ３の処理は完了し、この字幕放送処理はステップＳ３の処理からステップＳ４の処理に進む。
【００２１】
ステップＳ４の処理では、携帯電話機３が、放送設備６から受信したテレビジョン放送波と、通信用サーバ装置４から受信した字幕情報とを表示画面に表示する。これにより、このステップＳ４の処理は完了し、この字幕放送処理はステップＳ４の処理からステップＳ５の処理に進む。
【００２２】
ステップＳ５の処理では、通信用サーバ装置４が、携帯電話機３から字幕モードサービス終了の指示信号が送信されたか否かを判別する。そして、判別の結果、字幕モードサービス終了の指示信号が送信されていない場合、この字幕放送処理はステップＳ５の処理からステップＳ２の処理に戻る。一方、字幕モードサービス終了の指示信号が送信された場合には、一連の字幕放送処理は終了する。
【００２３】
以上の説明から明らかなように、本発明の一実施形態となるテレビジョン放送システムによれば、放送設備６が、携帯電話機３にテレビジョン放送波を送信し、通信用サーバ装置４が、字幕サーバ装置７から受信した字幕情報をテレビジョン放送波と同期させて携帯電話機３に送信するので、携帯電話機３の機種に合わせてテレビジョン放送波の字幕情報を送信することができる。
【００２４】
また、本発明の一実施形態となるテレビジョン放送システムによれば、通信用サーバ装置４が、携帯電話機３の表示画面サイズの情報を字幕サーバ装置７に送信し、字幕サーバ装置７が、携帯電話機３の表示画面サイズに対応する字幕情報を通信用サーバ装置４に送信し、通信用サーバ装置４が、字幕サーバ装置７から受信した字幕情報を携帯電話機３に送信するので、例えば、表示画面サイズが大きい携帯電話機３では表示文字数が多い字幕情報、表示画面サイズが小さい携帯電話機３では表示文字数が少ない字幕情報といった具合に、携帯電話機の表示画面サイズに最適な形式で字幕情報を送信することができる。
【００２５】
以上、本発明者によってなされた発明を適用した実施の形態について説明したが、この実施の形態による本発明の開示の一部をなす論述及び図面により本発明は限定されることはない。例えば、上記実施の形態では、字幕サーバ装置７を放送事業者側に設けたが、携帯事業者側に字幕サーバ装置７を設けてもよい。なお、この場合、字幕サーバ装置７は、放送設備６からテレビジョン放送の音声情報を受信し、受信した音声情報から音声認識技術を利用して字幕情報を生成する。このように、この実施の形態に基づいて当業者等によりなされる他の実施の形態、実施例及び運用技術等は全て本発明の範疇に含まれることは勿論であることを付け加えておく。
【産業上の利用可能性】
【００２６】
本発明は、テレビジョン放送波の受信機能を備える携帯通信端末に適用することができる。
【図面の簡単な説明】
【００２７】
【図１】本発明の一実施形態となるテレビジョン放送システムの構成を示す模式図である。
【図２】図１に示すテレビジョン放送システムによる字幕放送処理の流れを示すフローチャート図である。
【図３】本発明の一実施形態となる字幕情報の構成を示す模式図である。
【符号の説明】
【００２８】
１：テレビジョン放送システム
２：放送用サーバ装置
３：携帯電話機
４：通信用サーバ装置
５：インターネット通信回線
６：放送設備
７：字幕サーバ装置
【図１】
2005051509.tif 000003
【図２】
2005051509.tif 000004
【図３】
2005051509.tif 000005